(57)【特許請求の範囲】
【請求項１】
通信装置から受信したデータの中継を行う中継装置であって、
前記通信装置に割り振る電話番号を有する通信情報を記憶する記憶部と、制御部と、を備え、
前記制御部は、
前記通信装置からオプション情報格納領域に特定の識別子を有するＤＨＣＰのメッセージを受信すると、前記通信情報より一の電話番号を取得して、ＤＨＣＰのメッセージに取得した電話番号を含めて前記通信装置に送信する処理と、
前記電話番号を含めたＤＨＣＰのメッセージを送信した前記通信装置より、当該通信装置の操作部を介して入力された通信に関連する設定情報を受信すると、当該通信に関連する設定情報を前記記憶部に記憶して、当該通信に関連する設定情報で特定される設定に応じた処理と、を行うこと、
を特徴とする中継装置。
【請求項２】
請求項１に記載の中継装置であって、
前記通信情報は、ＩＰアドレスと、電話番号と、を対応させたものであり、
前記制御部は、前記通信装置からオプション情報格納領域に特定の識別子を有するＤＨＣＰのメッセージを受信すると、前記通信情報より一のＩＰアドレスと、当該ＩＰアドレスに対応する電話番号と、を取得して、ＤＨＣＰのメッセージに取得したＩＰアドレス及び電話番号を含めて前記通信装置に送信する処理を行うこと、
を特徴とする中継装置。
【請求項３】
請求項２に記載の中継装置であって、
前記通信情報は、ＩＰアドレスと、電話番号と、ＭＡＣアドレスと、を対応させたものであり、
前記制御部は、
前記通信装置からオプション情報格納領域に特定の識別子を有するＤＨＣＰのメッセージを受信すると、前記通信情報において、前記通信装置のＭＡＣアドレスに対応づけられているＩＰアドレス及び電話番号があるか否かを確認する処理と、
前記通信装置のＭＡＣアドレスに対応づけられているＩＰアドレス及び電話番号がある場合には、前記通信情報より、当該対応づけられているＩＰアドレス及び電話番号を取得して、ＤＨＣＰのメッセージに取得した電話番号及びＩＰアドレスを含めて前記通信装置に送信する処理と、
前記通信装置のＭＡＣアドレスに対応づけられているＩＰアドレス及び電話番号がない場合には、前記通信情報より一のＩＰアドレスと、当該ＩＰアドレスに対応する電話番号と、を取得して、ＤＨＣＰのメッセージに取得したＩＰアドレス及び電話番号を含めて前記通信装置に送信する処理と、を行うこと、
を特徴とする中継装置。
【請求項４】
請求項１に記載の中継装置であって、
前記通信に関連する設定情報は、前記通信装置の電話番号を特定する情報であり、
前記制御部は、
前記通信に関連する設定情報で特定される電話番号に着呼があった場合には、当該電話番号が設定された前記通信装置に当該着呼を転送する処理を行うこと、
を特徴とする中継装置。
【請求項５】
中継装置を介して通信を行う通信装置であって、
音声通信を行うことを示す特定の識別子をオプション情報格納領域に格納したＤＨＣＰのメッセージを前記中継装置に送信する処理と、
前記中継装置から、電話番号及びＩＰアドレスが含まれているＤＨＣＰのメッセージを受信する処理と、
受信した電話番号を自装置の電話番号として設定する処理と、
前記ＤＨＣＰのメッセージを受信すると、通信に関連する設定情報の入力を操作部を介して受け付け、受け付けた前記通信に関連する設定情報を前記中継装置に送信する処理と、を行う制御部を備えること、
を特徴とする通信装置。
【請求項６】
請求項５に記載の通信装置であって、
前記制御部は、
受信したＩＰアドレスを自装置のＩＰアドレスとして設定する処理、を行うこと、
を特徴とする通信装置。
【請求項７】
通信装置と、中継装置と、を備える通信システムであって、
前記通信装置は、
音声通信を行うことを示す特定の識別子をオプション情報格納領域に格納したＤＨＣＰのメッセージを前記中継装置に送信する処理と、
前記中継装置から、電話番号が含まれているＤＨＣＰのメッセージを受信する処理と、
受信した電話番号を自装置の電話番号として設定する処理と、
前記電話番号が含まれているＤＨＣＰのメッセージを受信すると、通信に関連する設定情報の入力を操作部を介して受け付け、受け付けた前記通信に関連する設定情報を前記中継装置に送信する処理と、を行う制御部を備え、
前記中継装置は、
前記通信装置に割り振る電話番号を有する通信情報を記憶する記憶部と、制御部と、を備え、
前記中継装置の前記制御部は、前記通信装置からオプション情報格納領域に特定の識別子を有するＤＨＣＰのメッセージを受信すると、前記通信情報より一の電話番号を取得して、ＤＨＣＰのメッセージに取得した電話番号を含めて前記通信装置に送信する処理と、
電話番号を含めた前記ＤＨＣＰのメッセージを送信した前記通信装置より、通信に関連する設定情報を受信すると、当該通信に関連する設定情報を前記中継装置の前記記憶部に記憶して、当該通信に関連する設定情報で特定される設定に応じた処理と、を行うこと、
を特徴とする通信システム。
【発明の詳細な説明】
【技術分野】
【０００１】
本発明は、通信に関連する設定を通信を行う装置に行う技術に関する。
【背景技術】
【０００２】
ＩＰ（Internet Protocol）ネットワークを介して音声通信を行うことのできるＩＰ電話機を内線電話として使用することのできる技術が特許文献１に記載されている。
【０００３】
特許文献１では、ＩＰ電話機は、電話番号、接続されているＮＡＰＴルータのＩＰアドレス及び当該ＮＡＰＴルータのポート番号を主装置に登録することで、当該ＮＡＰＴルータを介して、音声通信を行うことができるようにされている。
【０００４】
【特許文献１】特開２００６−７４５６５号公報
【発明の開示】
【発明が解決しようとする課題】
【０００５】
特許文献１に記載の技術では、ＩＰ電話機は、電話番号、接続されているＮＡＰＴルータのＩＰアドレス及び当該ＮＡＰＴルータのポート番号を主装置に登録するようにされているため、新たに使用するＩＰ電話機をネットワークに接続する際に、これらの情報を予めＩＰ電話機に設定しておかなければならず不便であった。
【０００６】
特に、電話番号や内線番号については、重複した番号を設定することができないため、適切に管理しておかなければならず不便であった。
【０００７】
そこで、本発明は、ＩＰ電話機に自動的に電話番号又は内線番号を割り振ることのできる技術を提供することを目的とする。
【課題を解決するための手段】
【０００８】
以上の課題を解決するため、本発明は、ＤＨＣＰのメッセージを用いて内線番号の割り振りを行う。
【０００９】
例えば、通信装置から受信したデータの中継を行う中継装置であって、前記通信装置に割り振る電話番号を有する通信情報を記憶する記憶部と、制御部と、を備え、前記制御部は、前記通信装置からオプション情報格納領域に特定の識別子を有するＤＨＣＰのメッセージを受信すると、前記通信情報より一の電話番号を取得して、ＤＨＣＰのメッセージに取得した電話番号を含めて前記通信装置に送信する処理と、前記電話番号を含めたＤＨＣＰのメッセージを送信した前記通信装置より、当該通信装置の操作部を介して入力された通信に関連する設定情報を受信すると、当該通信に関連する設定情報を前記記憶部に記憶して、当該通信に関連する設定情報で特定される設定に応じた処理と、を行うこと、を特徴とする。
【発明の効果】
【００１０】
以上のように、本発明によれば、ＩＰ電話機に自動的に電話番号又は内線番号を割り振ることのできる技術を提供することを目的とする。
【発明を実施するための最良の形態】
【００１１】
図１は、本発明の一実施形態である通信システム１００の概略図である。
【００１２】
なお、本実施形態においては、内線番号の自動付与の動作をベースに説明するが、内線番号ではなく、電話番号を割り振るようにすることも可能である。
【００１３】
図示するように、通信システム１００は、中継装置としてのゲートウェイ（以下、ＧＷという）１１０と、ＩＰ電話１３０Ａ〜１３０Ｅ（個々のものを区別しない場合には、ＩＰ電話１３０という）と、アナログ電話１５０と、パーソナルコンピュータ（以下、ＰＣという）１６０と、を備え、ＩＰ電話１３０、アナログ電話１５０及びＰＣ１６０は、ＬＡＮ（Local Area Network）１７０を介して相互に情報の送受信を行うことができるようにされており、また、ＩＰ電話１３０、アナログ電話１５０及びＰＣ１６０は、ＧＷ１１０を介して、ＷＡＮ（Wide Area Network）１７１に接続することができるようにされている。
【００１４】
図２は、ＧＷ１１０の概略図である。
【００１５】
図示するように、ＧＷ１１０は、記憶部１１１と、制御部１１６と、ＷＡＮポート１２３と、ＬＡＮポート１２４と、アナログポート１２５と、を備える。
【００１６】
記憶部１１１は、設定情報記憶領域１１２と、通信情報記憶領域１１３と、内線情報記憶領域１１４と、外線情報記憶領域１１５と、を備える。
【００１７】
設定情報記憶領域１１２には、ＧＷ１１０を介して行う通信における設定を特定する情報が記憶される。
【００１８】
例えば、本実施形態においては、図３（設定テーブル１１２ａの概略図）に示すような設定テーブル１１２ａが設定情報記憶領域１１２に記憶される。
【００１９】
設定テーブル１１２ａは、コンフィグフィールド１１２ｂと、選択範囲フィールド１１２ｃと、設定値フィールド１１２ｄと、を有する。
【００２０】
コンフィグフィールド１１２ｂには、ＧＷ１１０を介した通信において設定を行う項目を特定する情報が格納される。
【００２１】
ここで、本実施形態においては、ＧＷ１１０を介した通信において設定を行う項目として、内線番号自動設定、ＬＡＮＩＰアドレス、ＤＨＣＰ付与範囲、内線代表番号、先頭内線番号、内線番号割当間隔及び内線番号付与範囲が設けられており、それぞれの項目に対応するレコードの選択範囲フィールド１１２ｃに格納されている選択範囲から、設定値フィールド１１２ｄにおいて設定値を選択するようにされている。
【００２２】
内線番号自動設定の項目に対応するレコード１１２ｅでは、ＧＷ１１０を介してＬＡＮ１７０に接続するＩＰ電話１３０に内線番号を設定するか否かが特定される。即ち、選択範囲フィールド１１２ｃに格納されている「有り」又は「無し」のうちから、「有り」を設定値フィールド１１２ｄに格納すると、ＩＰ電話１３０に内線番号を設定する処理を後述する制御部１１６が行い、「無し」を格納するとそのような処理を制御部１１６は行わないようになる。
【００２３】
ＬＡＮＩＰアドレスの項目に対応するレコード１１２ｆでは、ＧＷ１１０が、自装置に収容する装置（例えば、ＩＰ電話１３０等）が接続されるネットワーク（ここでは、ＬＡＮ１７０）で使用するＩＰアドレスが特定される。このレコード１１２ｆでは、選択範囲フィールド１１２ｃは空欄にされており、設定値フィールド１１２ｄにＩＰアドレスを特定する情報が格納される。
【００２４】
ＤＨＣＰ付与範囲の項目に対応するレコード１１２ｇでは、ＧＷ１１０の制御部１１６が、自装置に収容する装置（ここでは、ＩＰ電話１３０及びＰＣ１６０）にＤＨＣＰ（Dynamic Host Configuration Protocol）に従って割り振るＩＰアドレスの範囲が特定される。ここでは、選択範囲フィールド１１２ｃにおいてＩＰアドレスの範囲が「192.168.0.1〜192.168.0.254」と定められており、この範囲の中から設定値フィールド１１２ｄに割り振りを行うＩＰアドレスの範囲を特定する情報が格納される。
【００２５】
内線代表番号の項目に対応するレコード１１２ｈでは、ＧＷ１１０に収容するＩＰ電話１３０の代表となる内線番号（本実施形態では、全てのＩＰ電話１３０を呼び出す（鳴動させる）内線番号）が特定される。ここでは、選択範囲フィールド１１２ｃにおいて、内線の代表番号を選択する範囲が「０〜９９９９」と定められており、この範囲の中から設定値フィールド１１２ｄに代表内線番号を特定する情報が格納される。
【００２６】
先頭内線番号の項目に対応するレコード１１２ｉでは、ＧＷ１１０の制御部１１６が自装置に収容するＩＰ電話１３０に割り振る内線番号の先頭となる番号が特定される。ここでは、選択範囲フィールド１１２ｃにおいて、内線番号の先頭を選択する範囲が「０〜９９９９」と定められており、この範囲の中から設定値フィールド１１２ｄに内線番号の先頭となる番号を特定する情報が格納される。
【００２７】
内線番号割当間隔の項目に対応するレコード１１２ｊでは、ＧＷ１１０の制御部１１６が自装置に収容するＩＰ電話１３０に割り振る内線番号の間隔が特定される。ここでは、選択範囲フィールド１１２ｃにおいて、内線番号の間隔を選択する範囲が「＋１」、「＋１０」又は「＋１００」と定められており、この範囲の中から設定値フィールド１１２ｄに内線番号の間隔を特定する情報が格納される。
【００２８】
内線番号付与範囲の項目に対応するレコード１１２ｋでは、ＧＷ１１０の制御部１１６が、内線番号を設定するＩＰ電話１３０に割り振るＩＰアドレスの範囲を特定する。ここでは、選択範囲フィールド１１２ｃにおいて、内線番号を設定するＩＰ電話１３０に割り振るＩＰアドレスの範囲が「192.168.0.1〜192.168.0.254」と定められており、この範囲の中から設定値フィールド１１２ｄにＩＰアドレスの範囲を特定する情報が格納される。
【００２９】
なお、設定値フィールド１１２ｄに格納する設定値については、コンフィグフィールド１１２ｂに格納されている項目と、選択範囲フィールド１１２ｃに格納されている範囲と、を特定の表示形式にして図示しない表示部に表示することで、図示しない入力部を介して、設定値の入力を受け付けるようにすることも可能である。また、コンフィグフィールド１１２ｂに格納されている項目と、選択範囲フィールド１１２ｃに格納されている範囲と、をＬＡＮ１７０又はＷＡＮ１７１に接続されている他の装置に送信し、当該他の装置において、特定の表示形式にして当該他の装置の表示部に表示し、当該他の装置の入力部を介して設定値の入力を受け付けるようにすることも可能である。
【００３０】
図２に戻り、通信情報記憶領域１１３には、ＧＷ１１０を介して通信を行う装置に割り振る情報が記憶される。
【００３１】
例えば、本実施形態においては、図４（通信テーブル１１３ａの概略図）に示すような通信テーブル１１３ａが通信情報記憶領域１１３に記憶される。
【００３２】
通信テーブル１１３ａは、Ｎｏフィールド１１３ｂと、種別フィールド１１３ｃと、ＩＰアドレスフィールド１１３ｄと、ＭＡＣアドレスフィールド１１３ｅと、内線番号フィールド１１３ｆと、グループ番号フィールド１１３ｇと、を有する。
【００３３】
Ｎｏフィールド１１３ｂには、各々のレコードを一意に識別するための識別番号が格納される。
【００３４】
種別フィールド１１３ｃには、ＧＷ１１０を介して通信を行う装置の種別を特定する情報が格納される。
【００３５】
ここで、本実施形態においては、種別フィールド１１３ｃに「アナログ」の文字列が格納されている場合にはアナログ電話１５０を示し、「ＩＰ−ＴＥＬ」の文字列が格納されている場合にはＩＰ電話１３０を示し、「ＰＣ」の文字列が格納されている場合には、ＰＣ１６０を示すものとする。
【００３６】
ＩＰアドレスフィールド１１３ｄには、種別フィールド１１３ｃで特定される種別の装置に割り振るＩＰアドレスを特定する情報が格納される。
【００３７】
なお、種別フィールド１１３ｃに「アナログ」の文字列が格納されているレコードのＩＰアドレスフィールド１１３ｄには、「Don’t Care」の文字列が格納されており、これはＩＰアドレスを割り振らないことを示している。
【００３８】
ＭＡＣアドレスフィールド１１３ｅには、ＩＰアドレスフィールド１１３ｄに格納されているＩＰアドレスを割り振った装置から取得したＭＡＣアドレスを特定する情報が格納される。
【００３９】
なお、種別フィールド１１３ｃに「アナログ」の文字列が格納されているレコードのＭＡＣアドレスフィールド１１３ｅには、「Don’t Care」の文字列が格納されており、これはＭＡＣアドレスを取得しないことを示している。
【００４０】
内線番号フィールド１１３ｆには、種別フィールド１１３ｃで特定される種別の装置に割り振る内線電話を特定する情報が格納される。
【００４１】
なお、種別フィールド１１３ｃに「ＰＣ」の文字列が格納されているレコードの内線番号フィールド１１３ｆには、「Don’t Care」の文字列が格納されており、これは内線番号を割り振らないことを示している。
【００４２】
グループ番号フィールド１１３ｇには、種別フィールド１１３ｃで特定される種別の装置が属するグループを一意に識別するための識別情報であるグループ番号が格納される。
【００４３】
なお、種別フィールド１１３ｃに「ＰＣ」の文字列が格納されているレコードのグループ番号フィールド１１３ｅには、「Don’t Care」の文字列が格納されており、これはグループを識別しないことを示している。
【００４４】
ここで、後述するように、通信テーブル１１３ａについては、通信システム１００での通信を開始する前等の適切な時期に、全体制御部１１７が設定テーブル１１２ａに格納されている情報に基づいて生成し、通信情報記憶領域１１３に記憶する。
【００４５】
図２に戻り、内線情報記憶領域１１４には、ＧＷ１１０を介して通信を行う装置（ここでは、ＬＡＮ１７０に接続されている装置）のアドレスと、内線番号と、グループと、を特定する情報が格納される。
【００４６】
例えば、本実施形態においては、図５（内線テーブル１１４ａの概略図）に示すような内線テーブル１１４ａが内線情報記憶領域１１４に記憶される。
【００４７】
内線テーブル１１４ａは、ＩＰアドレスフィールド１１４ｂと、内線番号フィールド１１４ｃと、グループ番号フィールド１１４ｄと、内線代表フィールド１１４ｅと、を有する。
【００４８】
ＩＰアドレスフィールド１１４ｂには、ＧＷ１１０に収容される装置のＩＰアドレスを特定する情報が格納される。
【００４９】
内線番号フィールド１１４ｃには、ＩＰアドレスフィールド１１４ｂで特定されるアドレスに配置された装置の内線番号を特定する情報が格納される。
【００５０】
グループ番号フィールド１１４ｄには、ＩＰアドレスフィールド１１４ｂで特定されるアドレスに配置された装置が属するグループのグループ番号を特定する情報が格納される。
【００５１】
内線代表フィールド１１４ｅには、ＩＰアドレスフィールド１１４ｂで特定されるアドレスに配置された装置の代表内線番号を特定する情報が格納される。
【００５２】
ここで本実施形態においては、内線テーブル１１４ａの各々のレコードには、ＳＩＰ（Session Initiation Protocol）のＲＥＧＩＳＴＥＲ処理により必要な情報が格納される。
【００５３】
図２に戻り、外線情報記憶領域１１５には、ＷＡＮ１７１側に接続されている装置から、ＧＷ１１０に収容される装置に接続する際のグループ毎の外線番号を特定する情報が格納される。
【００５４】
例えば、本実施形態においては、図６（外線テーブル１１５ａの概略図）に示すような外線テーブル１１５ａが外線情報記憶領域１１５に記憶される。
【００５５】
外線テーブル１１５ａは、外線番号フィールド１１５ｂと、グループ番号フィールド１１５ｃと、を有する。
【００５６】
外線番号フィールド１１５ｂには、後述するグループ番号フィールド１１５ｃで特定されるグループに属する装置に、ＷＡＮ１７１側に接続されている（ＷＡＮ１７１側からＧＷ１１０を介して接続する）装置から通信を行う際の外線番号を特定する情報が格納される。
【００５７】
グループ番号フィールド１１５ｃには、ＧＷ１１０に収容されている装置のグループ番号を特定する情報が格納される。
【００５８】
ここで、本実施形態においては、外線テーブル１１５ａは、通信システム１００での通信を開始する前等の適切な時に予め外線情報記憶領域１１５に記憶しておく。
【００５９】
図２に戻り、制御部１１６は、全体制御部１１７と、ＳＩＰ呼制御部１１８と、ＤＨＣＰ制御部１１９と、ＲＴＰ制御部１２０と、アナログ制御部１２１と、ＤＳＰ制御部１２２と、を備える。
【００６０】
全体制御部１１７は、ＧＷでの処理の全体を制御する。
【００６１】
特に、全体制御部１１７は、ＷＡＮポート１２３を介して送受信する情報と、アナログポート１２５を介して送受信する情報と、の間のプロトコルの変換を行う。
【００６２】
また、全体制御部１１７は、ＧＷ１１０の初期設定として、通信システム１００での処理を開始する前等の適切なときにおいて、設定情報記憶領域１１２に記憶されている設定テーブル１１２ａに格納されている情報から、通信テーブル１１３ａを生成して通信情報記憶領域１１３に記憶する処理を行う。
【００６３】
まず、全体制御部１１７は、ＧＷ１１０のオペレータより、アナログポートに接続されるアナログ電話１５０の個数の入力を受け付ける。なお、これらの情報の入力は、図示しない入力部を介して入力を受け付けたり、ＬＡＮ１７０又はＷＡＮ１７１に接続されている他の装置から入力を受け付けたりすればよい。
【００６４】
このようにして受け付けたアナログ電話１５０の個数に対応する数のレコードを通信テーブル１１３ａに生成する。
【００６５】
そして、全体制御部１１７は、生成したレコードにおいて、Ｎｏフィールド１１３ｂには「１」から連番となる自然数による一意の識別番号を格納し、種別フィールド１１３ｃには「アナログ」の文字列を格納し、ＩＰアドレスフィールド１１３ｄ及びＭＡＣアドレスフィールド１１３ｅには「Don’t Care」の文字列を格納し、内線番号フィールド１１３ｆには設定テーブル１１２ａの先頭内線番号の項目に対応するレコード１１２ｉの設定値フィールド１１２ｄに格納されている先頭内線番号から順に、内線番号割当間隔の項目に対応するレコード１１２ｊの設定値フィールド１１２ｄに格納されている間隔の値を各々加算することにより生成した内線番号を格納し、グループ番号フィールド１１３ｇは空欄とする。
【００６６】
即ち、内線番号フィールド１１３ｆには、識別番号「１」のレコードでは、設定テーブル１１２ａの先頭内線番号の項目に対応するレコード１１２ｉの設定値フィールド１１２ｄに格納されている先頭内線番号が格納され、以下のレコードでは、各々一つ上のレコードの内線番号に、設定テーブル１１２ａの内線番号割当間隔の項目に対応するレコード１１２ｊの設定値フィールド１１２ｄに格納されている間隔の値を加算した値が格納される。
【００６７】
次に、全体制御部１１７は、設定テーブル１１２ａのＤＨＣＰ付与範囲の項目に対応するレコード１１２ｇの設定値フィールド１１２ｄに格納されているＤＨＣＰ付与範囲を取得して、このＤＨＣＰ付与範囲に含まれるＩＰアドレスの個数を算出して、算出した個数に対応する数のレコードを通信テーブル１１３ａに生成する。
【００６８】
そして、全体制御部１１７は、生成したレコードにおいて、Ｎｏフィールド１１３ｂには一つ上のレコードから連番となる自然数による一意の識別番号を格納する。
【００６９】
また、全体制御部１１７は、生成したレコードの種別フィールド１１３ｃには、後述するＩＰアドレスフィールド１１３ｄにおいて、設定テーブル１１２ａの内線番号付与範囲の項目に対応するレコード１１２ｋの設定値フィールド１１２ｄに格納されているＩＰアドレスの範囲に含まれるＩＰアドレスが格納されているレコードには「ＩＰ−ＴＥＬ」の文字列を、そのほかのＩＰアドレスの範囲に含まれるＩＰアドレスが格納されているレコードには「ＰＣ」の文字列を、格納する。
【００７０】
さらに、全体制御部１１７は、生成したレコードのＩＰアドレスフィールド１１３ｄには、ＤＨＣＰ付与範囲の項目に対応するレコード１１２ｇの設定値フィールド１１２ｄに格納されているＩＰアドレスの範囲に含まれるＩＰアドレスを各々のレコードに一意となるように格納する。
【００７１】
また、全体制御部１１７は、生成したレコードの内線番号フィールド１１３ｆには、種別フィールド１１３ｃに「ＩＰ−ＴＥＬ」の文字列が格納されているレコードには、内線番号が格納されている一つ上のレコードに格納されている内線番号に、設定テーブル１１２ａの内線番号割当間隔の項目に対応するレコード１１２ｊの設定値フィールド１１２ｄに格納されている間隔の値を各々加算することにより生成した内線番号を、種別フィールド１１３ｃに「ＰＣ」の文字列が格納されている場合には、「Don't Care」の文字列を、格納する。
【００７２】
さらに、全体制御部１１７は、生成したレコードのＭＡＣアドレスフィールド１１３ｅは空欄とし、グループ番号フィールド１１３ｇは、種別フィールド１１３ｃに「ＩＰ−ＴＥＬ」の文字列が格納されている場合には、空欄とし、種別フィールド１１３ｃに「ＰＣ」の文字列が格納されている場合には、「Don't Care」の文字列を格納する。
【００７３】
そして、全体制御部１１７は、以上のようにして生成した通信テーブル１１３ａを通信情報記憶領域１１３に記憶する。
【００７４】
図２に戻り、ＳＩＰ呼制御部１１８は、ＳＩＰに従った呼制御を行う。
【００７５】
また、本実施形態においては、ＳＩＰ呼制御部１１８は、ＧＷ１１０に収容するＩＰ電話１３０から初めてＲＥＧＩＳＴＥＲリクエストを受信した場合には、特定のメッセージ（ここでは、ＳＵＢＳＣＲＩＢＥリクエスト）をＩＰ電話１３０に送信して、ＩＰ電話１３０より当該ＩＰ電話１３０が所属するグループを特定する情報を取得する処理を行う。
【００７６】
ＤＨＣＰ制御部１１９は、ＤＨＣＰに従って、ＩＰアドレス等、通信に必要な情報を配信する処理を行う。
【００７７】
また、本実施形態においては、ＤＨＣＰ制御部１１９は、設定情報記憶領域１１２に記憶される設定テーブル１１２ａの内線番号自動設定の項目に対応するレコード１１２ｅの設定値フィールド１１２ｄに「有り」の文字列が格納されている場合には、ＧＷ１１０に収容するＩＰ電話１３０よりＤＨＣＰＲＥＱＵＥＳＴを受信したときに、当該ＩＰ電話１３０に内線番号を付与する処理を行う。
【００７８】
ＲＴＰ制御部１２０は、ＲＴＰ（Real-time Transport Protocol）に従った処理を行う。
【００７９】
例えば、ＲＴＰ制御部１２０は、アナログポート１２５より入力された音声信号をＲＴＰパケット化し、このＲＴＰパケットを、ＳＩＰ呼制御部１１８より指定されたＩＰアドレスを宛先としてＷＡＮポート１２３又はＬＡＮポート１２４に出力する。
【００８０】
また、ＲＴＰ制御部１２０は、ＷＡＮポート１２３又はＬＡＮポート１２４より入力されたＲＴＰパケットから音声信号を復元し、これをアナログポート１２５に出力する。
【００８１】
アナログ制御部１２１は、アナログポート１２５に接続されているアナログ電話１５０間の信号の送受信を制御する。
【００８２】
ＤＳＰ制御部１２２は、ＬＡＮポート１２４に接続されているＩＰ電話１３０間の情報の送受信を制御する。
【００８３】
ＷＡＮポート１２３は、ＷＡＮ１７１を介して情報の送受信を行うインターフェースである。
【００８４】
ＬＡＮポート１２４は、ＬＡＮ１７０を介して情報の送受信を行うインターフェースである。
【００８５】
アナログポート１２５は、アナログ電話１５０との間で情報の送受信を行うインターフェースである。
【００８６】
図７は、ＩＰ電話１３０の概略図である。
【００８７】
図示するように、ＩＰ電話１３０は、記憶部１３１と、制御部１３２と、受話器１４０と、表示部１４１と、操作部１４２と、ＬＡＮポート１４３と、を備える。
【００８８】
記憶部１３１には、ＩＰ電話１３０で通信を行う際に必要となる情報が記憶される。例えば、本実施形態においては、ＧＷ１１０から通知されるＩＰアドレス及び内線番号を特定する情報が記憶される。
【００８９】
制御部１３２は、全体制御部１３３と、ＳＩＰ呼制御部１３４と、ＤＨＣＰ制御部１３５と、ＲＴＰ制御部１３６と、アナログ制御部１３７と、ＤＳＰ制御部１３８と、操作表示制御部１３９と、を備える。
【００９０】
全体制御部１３３は、ＩＰ電話１３０での処理の全体を制御する。
【００９１】
ＳＩＰ呼制御部１３４は、ＳＩＰに従った呼制御を行う。
【００９２】
特に、本実施形態においては、ＳＩＰ呼制御部１３４は、ＲＥＧＩＳＴＥＲリクエストにＧＷ１１０から通知された内線番号を含めて、ＧＷ１１０に送信する処理を行う。
【００９３】
さらに、ＳＩＰ呼制御部１３４は、ＧＷ１１０から特定のメッセージ（ここでは、ＳＵＢＳＣＲＩＢＥリクエスト）を受信した場合には、後述する操作表示制御部１３９に指示を出し、表示部１４１にグループ番号の入力を受け付ける表示を行うように指示を出し、操作部１４２を介して入力されたグループ番号をＮＯＴＩＦＹリクエストに含めて、ＧＷ１１０に送信する処理を行う。
【００９４】
ＤＨＣＰ制御部１３５は、ＤＨＣＰに従って、ＩＰアドレス等、通信に必要な情報をＧＷ１１０より受信する処理を行う。
【００９５】
特に、本実施形態においては、ＤＨＣＰ制御部１３５は、ＤＨＣＰＲＥＱＵＥＳＴにおいて、オプション情報格納領域にＩＰ電話であることを識別することができるタグ値を付した情報を格納して、ＧＷ１１０に送信する処理を行う。
【００９６】
ここで、ＩＰ電話であることを識別することができるタグ値については、未定義のタグ値のうちから任意のタグ値を、ＧＷ１１０が識別できるように予め特定しておけばよい。
【００９７】
また、本実施形態においては、ＤＨＣＰ制御部１３５は、ＧＷ１１０から受信したＤＨＣＰＡＣＫに内線番号が含まれている場合には、後述する操作表示制御部１３９に指示を出し、含まれている内線番号を表示部１４１に表示するように指示を出す。
【００９８】
ＲＴＰ制御部１３６は、ＲＴＰに従った処理を行う。
【００９９】
例えば、ＲＴＰ制御部１３６は、アナログ制御部１３７から出力されてきた音声信号をＲＴＰパケット化し、このＲＴＰパケットを、ＳＩＰ呼制御部１３４より通知されたＩＰアドレスを宛先としてＬＡＮポート１４３に出力する。
【０１００】
また、ＲＴＰ制御部１３６は、ＬＡＮポート１４３を介して受け取ったＲＴＰパケットから音声信号を復元し、これをアナログ制御部１３７に出力する。
【０１０１】
アナログ制御部１３７は、受話器１４０との間で送受信するアナログ信号を制御する。
【０１０２】
ＤＳＰ制御部１３８は、デジタル信号の制御を行う。
【０１０３】
操作表示制御部１３９は、表示部１４１及び操作部１４２で入出力する情報を制御する。
【０１０４】
例えば、本実施形態においては、操作表示制御部１３９は、ＳＩＰ呼制御部１３４からの指示に応じて、表示部１４１にグループ番号の入力を受け付ける表示を行う。
【０１０５】
また、操作表示制御部１３９は、ＤＨＣＰ制御部１３５からの指示に応じて、ＧＷ１１０から通知された内線番号を特定する情報を表示部１４１に表示する。
【０１０６】
受話器１４０は、スピーカ（図示せず）及びマイク（図示せず）を有し、スピーカを介して音声を出力し、マイクを介して音声の入力を受け付ける。
【０１０７】
表示部１４１は、情報を出力する。
【０１０８】
操作部１４２は、情報の入力を受け付ける。
【０１０９】
ＬＡＮポート１４３は、ＬＡＮ１７０を介して情報の送受信を行うインターフェースである。
【０１１０】
図１に戻り、アナログ電話１５０及びＰＣ１６０については、汎用のものを使用すればよいため、詳細な説明を省略する。
【０１１１】
図８は、ＩＰ電話１３０とＧＷ１１０との間の初期設定処理を示すシーケンス図である。
【０１１２】
まず、ＩＰ電話１３０のＤＨＣＰ制御部１３５は、ＤＨＣＰに従ったＤＩＳＣＯＶＥＲメッセージを、ＬＡＮポート１４３を介してマルチキャストで送信する（Ｓ１０）。
【０１１３】
このようなＤＩＳＣＯＶＥＲメッセージを受信したＧＷ１１０では、ＤＨＣＰ制御部１１９が、ＬＡＮポート１２４を介して、ＤＨＣＰに従ったＯＦＦＥＲメッセージをマルチキャストで返信する（Ｓ１１）。
【０１１４】
そして、ＩＰ電話１３０のＤＨＣＰ制御部１３５は、ＩＰ電話であることを識別することができるタグ値（ここでは、当該タグ値を「１２５」とする）をオプション情報格納領域に格納したＤＨＣＰのＲＥＱＵＥＳＴメッセージを生成して（Ｓ１２）、ＬＡＮポート１４３を介してマルチキャストで送信する（Ｓ１３）。
【０１１５】
このようなＲＥＱＵＥＳＴメッセージを受信したＧＷ１１０では、ＤＨＣＰ制御部１１９が、ＲＥＱＵＥＳＴメッセージのオプション情報格納領域に格納されている情報を確認し、ＩＰ電話であることを識別することができるタグ値（ここでは、「１２５」）が含まれているか否かを確認する。
【０１１６】
そして、このようなタグ値が含まれている場合には、ＤＨＣＰ制御部１１９は、通信情報記憶領域１１３に記憶されている通信テーブル１１３ａにおいて、種別フィールド１１３ｃに「ＩＰ−ＴＥＬ」の文字列が格納されているレコードのうち、ＭＡＣアドレスフィールド１１３ｅにＭＡＣアドレスを特定する情報が格納されていないレコードの中から一のレコードを特定し、特定したレコードのＩＰアドレスフィールド１１３ｄ及び内線番号フィールド１１３ｆに格納されているＩＰアドレス及び内線番号を取得し、さらに、ＤＨＣＰ制御部１１９は、特定したレコードのＭＡＣアドレスフィールド１１３ｅに、受信したＲＥＱＵＥＳＴメッセージに含まれている送信元であるＩＰ電話１３０のＭＡＣアドレスを格納する（Ｓ１４）。
【０１１７】
また、ＤＨＣＰ制御部１１９は、ステップＳ１４で取得したＩＰアドレスと内線番号を特定する情報を含むＤＨＣＰのＡＣＫメッセージを生成して（Ｓ１５）、ＬＡＮポート１２４を介してブロードキャストで送信する（Ｓ１６）。
【０１１８】
このようなＡＣＫメッセージを受信したＩＰ電話１３０では、ＤＨＣＰ制御部１３５が、ＡＣＫメッセージに含まれるＩＰアドレスと内線番号とを抽出し、記憶部１３１に記憶するとともに、操作表示制御部１３９に指示することで、抽出した内線番号を表示部１４１に表示する（Ｓ１７）。
【０１１９】
次に、ＩＰ電話１３０のＳＩＰ呼制御部１３４は、ステップＳ１６で受信したＡＣＫメッセージに含まれるＩＰアドレス及び内線番号を含むＲＥＧＩＳＴＥＲリクエストを生成して（Ｓ１８）、ＧＷ１１０に送信する（Ｓ１９）。
【０１２０】
このようなＲＥＧＩＳＴＥＲリクエストを受信したＧＷ１１０では、ＳＩＰ呼制御部１１８が２００ＯＫレスポンスをＩＰ電話１３０に返信する（Ｓ２０）。
【０１２１】
また、ＳＩＰ呼制御部１１８は、ＲＥＧＩＳＴＥＲリクエストを送信してきたＩＰ電話のＭＡＣアドレスがＭＡＣアドレスフィールド１１３ｅに格納されているレコードを通信テーブル１１３ａから特定し、特定したレコードの内線番号フィールド１１３ｆにＲＥＧＩＳＴＥＲリクエストに含まれている内線番号が格納されているか否かを確認する（Ｓ２１）。
【０１２２】
そして、このような内線番号が格納されていない場合には、ＳＩＰ呼制御部１１８は、当該特定したレコードの内線番号フィールド１１３ｆにＲＥＧＩＳＴＥＲリクエストに含まれている内線番号を格納するとともに、内線情報記憶領域１１４に記憶されている内線テーブル１１４ａに新たなレコードを作成し、作成したレコードのＩＰアドレスフィールド１１４ｂ及び内線番号フィールド１１４ｃに、ＲＥＧＩＳＴＥＲリクエストに含まれているＩＰアドレス及び内線番号をそれぞれ格納する（Ｓ２２）。なお、ＳＩＰ呼制御部１１８は、作成したレコードの内線代表フィールド１１４ｅに設定テーブル１１２ａの内線代表番号の項目に対応するレコード１１２ｈの設定値フィールド１１２ｄに格納されている内線代用番号を格納する。
【０１２３】
次に、ＳＩＰ呼制御部１１８は、グループ番号を送信する指示を特定する情報を含むＳＵＢＳＣＲＩＢＥリクエストをＩＰ電話１３０に送信する（Ｓ２３）。
【０１２４】
このようなＳＵＢＳＣＲＩＢＥリクエストを受信したＩＰ電話１３０では、ＳＩＰ呼制御部１３４が、２０２（Ａｃｃｅｐｔｅｄ）レスポンスをＧＷ１１０に送信する（Ｓ２４）。
【０１２５】
また、ＳＩＰ呼制御部１３４は、操作表示制御部１３９に指示を出し、操作表示制御部１３９は、表示部１４１にグループ番号の入力を要求する表示を出力する（Ｓ２５）。
【０１２６】
そして、ＳＩＰ制御部１３４は、操作部１４２を介してグループ番号の入力を受け付けると（Ｓ２６）、入力を受け付けたグループ番号を含むＮＯＴＩＦＹリクエストを生成して（Ｓ２７）、ＧＷ１１０に送信する（Ｓ２８）。
【０１２７】
このようなＮＯＴＩＦＹリクエストを受信したＧＷ１１０では、ＳＩＰ呼制御部１１８が、ステップＳ２２で作成したレコードのグループ番号フィールド１１４ｄに、ＮＯＴＩＦＹリクエストに含まれるグループ番号を格納するとともに、ＮＯＴＩＦＹリクエストの送信元のＭＡＣアドレスがＭＡＣアドレスフィールド１１３ｅに格納されている通信テーブル１１３ａのレコードを特定し、特定したレコードのグループ番号フィールド１１３ｇに当該グループ番号を格納する（Ｓ２９）。
【０１２８】
そして、ＳＩＰ呼制御部１１８は、２００ＯＫレスポンスをＩＰ電話１３０に返信する（Ｓ３０）。
【０１２９】
図９は、ＧＷ１１０のＤＨＣＰ制御部１１９での初期設定処理のフローチャートである。
【０１３０】
まず、ＧＷ１１０のＤＨＣＰ制御部１１９は、ＬＡＮポート１２４を介して、ＤＨＣＰのＤＩＳＣＯＶＥＲメッセージを受信すると（Ｓ４０）、ＤＨＣＰのＯＦＦＥＲメッセージを、ＬＡＮポート１２４よりブロードキャストで送信する（Ｓ４１）。
【０１３１】
そして、ＤＨＣＰ制御部１１９は、ＬＡＮポート１２４を介して、ＤＨＣＰのＲＥＱＵＥＳＴメッセージを受信すると（Ｓ４２）、受信したＲＥＱＵＥＳＴメッセージのオプション情報格納領域にタグ値が「１２５」の情報があるか否かを確認し（Ｓ４３）、タグ値が「１２５」の情報がある場合にはステップＳ４４に進み、ない場合にはステップＳ４８に進む。
【０１３２】
ステップＳ４４では、通信情報記憶領域１１３に記憶されている通信テーブル１１３ａにおいて、種別フィールド１１３ｃに「ＩＰ−ＴＥＬ」の文字列が格納されているレコードのうち、ＭＡＣアドレスフィールド１１３ｅに、ステップＳ４２で受信したＲＥＱＵＥＳＴメッセージの送信元であるＩＰ電話１３０のＭＡＣアドレスが格納されているレコードがあるか否かを確認する。そして、このようなＭＡＣアドレスが格納されているレコードがない場合にはステップＳ４５に進み、ある場合にはステップＳ５１に進む。
【０１３３】
ステップＳ４５では、ＤＨＣＰ制御部１１９は、通信情報記憶領域１１３に記憶されている通信テーブル１１３ａにおいて、種別フィールド１１３ｃに「ＩＰ−ＴＥＬ」の文字列が格納されているレコードのうち、ＭＡＣアドレスフィールド１１３ｅにＭＡＣアドレスを特定する情報が格納されていないレコードの中から一のレコードを特定し、特定したレコードのＩＰアドレスフィールド１１３ｄ及び内線番号フィールド１１３ｆに格納されているＩＰアドレス及び内線番号を取得する。
【０１３４】
そして、ＤＨＣＰ制御部１１９は、ステップＳ４５で特定したレコードのＭＡＣアドレスフィールド１１３ｅに、ステップＳ４２で受信したＲＥＱＵＥＳＴメッセージに含まれている送信元であるＩＰ電話１３０のＭＡＣアドレスを格納する（Ｓ４６）。
【０１３５】
そして、ＤＨＣＰ制御部１１９は、ステップＳ４５で取得したＩＰアドレス及び内線番号を含むＤＨＣＰのＡＣＫメッセージを生成する（Ｓ４７）
一方、ステップＳ４８では、ＤＨＣＰ制御部１１９は、通信情報記憶領域１１３に記憶されている通信テーブル１１３ａにおいて、種別フィールド１１３ｃに「ＰＣ」の文字列が格納されているレコードのうち、ＭＡＣアドレスフィールド１１３ｅにＭＡＣアドレスを特定する情報が格納されていないレコードの中から一のレコードを特定し、特定したレコードのＩＰアドレスフィールド１１３ｄに格納されているＩＰアドレスを取得する。
【０１３６】
そして、ＤＨＣＰ制御部１１９は、ステップＳ４８で特定したレコードのＭＡＣアドレスフィールド１１３ｅに、ステップＳ４２で受信したＲＥＱＵＥＳＴメッセージに含まれている送信元であるＩＰ電話１３０のＭＡＣアドレスを格納する（Ｓ４９）。
【０１３７】
そして、ＤＨＣＰ制御部１１９は、ステップＳ４８で取得したＩＰアドレスを含むＤＨＣＰのＡＣＫメッセージを生成する（Ｓ５０）。
【０１３８】
ステップＳ５１では、ＤＨＣＰ制御部１１９は、ステップＳ４４で、通信情報記憶領域１１３に記憶されている通信テーブル１１３ａのレコードのうち、ＭＡＣアドレスフィールド１１３ｅに、ステップＳ４２で取得したＲＥＱＵＥＳＴメッセージの送信元であるＩＰ電話１３０のＭＡＣアドレスが格納されているレコードのＩＰアドレスフィールド１１３ｄ及び内線番号フィールドよりＩＰアドレス及び内線番号を取得する。
【０１３９】
そして、ＤＨＣＰ制御部１１９は、ステップＳ５１で取得したＩＰアドレス及び内線番号を含むＤＨＣＰのＡＣＫメッセージを生成する（Ｓ５２）。
【０１４０】
そして、ＤＨＣＰ制御部１１９は、生成したＤＨＣＰのＡＣＫメッセージを、ＬＡＮポート１２４よりブロードキャストで送信する（Ｓ５３）。
【０１４１】
なお、ＤＨＣＰ制御部１１９は、通信テーブル１１３ａにおいて、種別フィールド１１３ｃに「ＰＣ」の文字列が格納されているレコードのＭＡＣアドレスフィールド１１３ｅに格納されている情報については、リース期間が切れることにより削除するが、そのほかの情報については、ＧＷ１１０のオペレータからの指示がない限り、変更及び削除は行わないようにすることが望ましい。
【０１４２】
図１０は、ＧＷ１１０のＳＩＰ呼制御部１１８での初期設定処理のフローチャートである。
【０１４３】
まず、ＧＷ１１０のＳＩＰ呼制御部１１８は、ＬＡＮポート１２４を介して、ＲＥＧＩＳＴＥＲリクエストを受信すると（Ｓ６０）、ＳＩＰに従った応答処理（例えば、２００ＯＫレスポンスを返信等）を行う（Ｓ６１）。
【０１４４】
次に、ＳＩＰ呼制御部１１８は、ＲＥＧＩＳＴＥＲリクエストの送信元のＭＡＣアドレスを特定し、特定したＭＡＣアドレスがＭＡＣアドレスフィールド１１３ｅに格納されているレコードを通信テーブル１１３ａから特定し、特定したレコードの内線番号フィールド１１３ｆにＲＥＧＩＳＴＥＲリクエストに含まれている内線番号が格納されているか否かを確認する（Ｓ６２）。そして、このような内線番号が格納されていない場合には（Ｓ６２でＮｏ）、ステップＳ６３に進み、このような内線番号が格納されている場合には、ステップＳ６９に進む。
【０１４５】
ステップＳ６３では、ＳＩＰ呼制御部１１８は、ステップＳ６２で特定したレコードの内線番号フィールド１１３ｆにＲＥＧＩＳＴＥＲリクエストに含まれている内線番号を格納するとともに、内線情報記憶領域１１４に記憶されている内線テーブル１１４ａに新たなレコードを作成し、作成したレコードのＩＰアドレスフィールド１１４ｂ及び内線番号フィールド１１４ｃに、ＲＥＧＩＳＴＥＲリクエストに含まれているＩＰアドレス及び内線番号をそれぞれ格納し、さらに、作成したレコードの内線代表フィールド１１４ｅに設定テーブル１１２ａの内線代表番号の項目に対応するレコード１１２ｈの設定値フィールド１１２ｄに格納されている内線代用番号を格納する。
【０１４６】
そして、ＳＩＰ呼制御部１１８は、グループ番号を送信する指示を特定する情報を含むＳＵＢＳＣＲＩＢＥリクエストを、ＬＡＮポート１２４を介してＲＥＧＩＳＴＥＲリクエストの送信元に送信する（Ｓ６４）。
【０１４７】
次に、ＳＩＰ呼制御部１１８は、２０２レスポンスを受信し（Ｓ６５）、ＮＯＴＩＦＹリクエストを受信すると（Ｓ６６）、ＮＯＴＩＦＹリクエストにグループ番号が含まれるか否かを確認する（Ｓ６７）。
【０１４８】
そして、ＳＩＰ呼制御部１１８は、ＮＯＴＩＦＹリクエストにグループ番号が含まれている場合には、ステップＳ６８に進み、グループ番号が含まれていない場合には、処理を終了する。
【０１４９】
ステップＳ６８では、ＳＩＰ呼制御部１１８は、ステップＳ６３で生成したレコードのグループ番号フィールド１１４ｄに、ＮＯＴＩＦＹリクエストに含まれているグループ番号を格納するとともに、ＮＯＴＩＦＹリクエストの送信元のＭＡＣアドレスがＭＡＣアドレスフィールド１１３ｅに格納されている通信テーブル１１３ａのレコードを特定し、特定したレコードのグループ番号フィールド１１３ｇに当該グループ番号を格納する（Ｓ６８）。
【０１５０】
ステップＳ６９では、ＳＩＰ呼制御部１１８は、内線情報記憶領域１１４に記憶されている内線テーブル１１４ａに新たなレコードを作成し、作成したレコードのＩＰアドレスフィールド１１４ｂ及び内線番号フィールド１１４ｃに、ＲＥＧＩＳＴＥＲリクエストに含まれているＩＰアドレス及び内線番号をそれぞれ格納し、さらに、作成したレコードの内線代表フィールド１１４ｅに設定テーブル１１２ａの内線代表番号の項目に対応するレコード１１２ｈの設定値フィールド１１２ｄに格納されている内線代用番号を格納する。
【０１５１】
図１１は、ＷＡＮ１７１側のＩＰ電話１８０から、ＧＷ１１０に収納されているＩＰ電話１３０に接続する処理を示すシーケンス図である。ここで、ＩＰ電話１３０Ａ及びＩＰ電話１３０Ｂは、ともにグループ番号「１」のグループに所属し、このグループには「１１１１１１１１１」の外線番号が割り当てられているものとする。
【０１５２】
まず、ＩＰ電話１８０は、外線番号「１１１１１１１１１」を特定したＩＮＶＩＴＥリクエストをＧＷ１１０に送信する（Ｓ７０）。
【０１５３】
このようなＩＮＶＩＴＥリクエストを受信したＧＷ１１０では、ＳＩＰ呼制御部１１８が、外線情報記憶領域１１５に記憶されている外線テーブル１１５ａの外線番号フィールド１１５ｂから外線番号「１１１１１１１１１」が格納されているレコードを特定し、特定したレコードのグループ番号フィールド１１５ｃからグループ番号を取得する（Ｓ７１）とともに、ＩＰ電話１８０に１００ＴＲＹＩＮＧレスポンスを送信する（Ｓ７２）。
【０１５４】
そして、ＧＷ１１０のＳＩＰ呼制御部１１８は、ステップＳ７２で特定されたグループ番号がグループ番号フィールド１１４ｄに格納されているレコードを内線テーブル１１４ａから特定し、特定したレコードのＩＰアドレスフィールド１１４ｂに格納されているＩＰアドレスを有するＩＰ電話１３０Ａ及びＩＰ電話１３０ＢにそれぞれＩＮＶＩＴＥリクエストを送信する（Ｓ７３、Ｓ７４）。
【０１５５】
このようなＩＮＶＩＴＥリクエストを受信したＩＰ電話１３０Ａ及びＩＰ電話１３０Ｂは、それぞれのＳＩＰ呼制御部１３４が、１００ＴＲＹＩＮＧレスポンスをＧＷ１１０に送信する（Ｓ７５、Ｓ７６）。
【０１５６】
また、ＩＰ電話１３０Ａ及びＩＰ電話１３０Ｂは、それぞれのＳＩＰ呼制御部１３４が、１８０ＲＩＮＧＩＮＧレスポンスをＧＷ１１０に送信し（Ｓ７７、Ｓ７８）、ＧＷ１１０は、ＳＩＰ呼制御部１１８が、ＩＰ電話１８０に１８０ＲＩＮＧＩＮＧレスポンスを送信する（Ｓ７９）。
【０１５７】
そして、ＩＰ電話１８０は、ＰＲＡＣＫリクエストをＧＷ１１０に送信し（Ｓ８０）、これに対して、ＧＷ１１０は、２００ＯＫレスポンスをＩＰ電話１８０に返信する（Ｓ８１）。
【０１５８】
そして、例えば、ＩＰ電話１３０Ａの受話器１４０がオフフックされる等により、ＩＮＶＩＴＥに応じる指示の入力が行われると（Ｓ８２）、ＩＰ電話１３０ＡのＳＩＰ呼制御部１３４は、２００ＯＫレスポンスをＧＷ１１０に返信し（Ｓ８３）、ＧＷ１１０は、ＩＰ電話１８０に２００ＯＫレスポンスを送信する（Ｓ８４）。
【０１５９】
これに対して、ＩＰ電話１８０がＡＣＫリクエストをＧＷ１１０に送信し（Ｓ８５）、ＧＷ１１０のＳＩＰ呼制御部１１８が、ＩＰ電話１３０ＡにＡＣＫリクエストを転送することで（Ｓ８６）、ＩＰ電話１８０とＩＰ電話１３０Ａとの間の通話が可能となる（Ｓ８７）。
【０１６０】
また、ＧＷ１１０のＳＩＰ呼制御部１１８は、ＩＰ電話１３０Ａからの２００ＯＫレスポンスを受信すると（Ｓ８３）、ＩＰ電話１３０ＢにＣＡＮＣＥＬリクエストを送信する（Ｓ８７）。
【０１６１】
ＣＡＮＣＥＬリクエストを受信したＩＰ電話１３０Ｂでは、２００ＯＫレスポンスをＧＷ１１０に送信し（Ｓ８８）、さらに、４８７レスポンスをＧＷ１１０に送信する（Ｓ８９）。
【０１６２】
このようなレスポンスを受信したＧＷ１１０では、ＡＣＫリクエストをＩＰ電話１３０Ｂに送信して（Ｓ９０）、ＩＰ電話１３０Ｂとの間の処理を終了する。
【０１６３】
以上のように、本実施形態によれば、ＤＨＣＰのメッセージを介して、ＧＷ１１０に主要するＩＰ電話１３０の内線番号を自動的に付与することができ、また、ＳＩＰのメッセージを介して、ＩＰ電話１３０のグループ化を容易に行うことができるようになる。
【０１６４】
なお、ＩＰ電話１３０については、フロアや部署毎にグループを設定することにより、グループ毎にＩＰ電話１３０を鳴動させる等の利用が可能となる。
【０１６５】
さらに、通信テーブル１１３ａのＩＰ電話１３０に関連する情報については原則として削除されないため、ＩＰ電話１３０は、同じ内線番号を継続して使用することができるようになる。
【０１６６】
なお、以上に記載した実施形態においては、ＳＩＰのＳＵＢＳＣＲＩＢＥリクエストを受信したＩＰ電話１３０においてグループ番号を入力して、ＮＯＴＩＦＹリクエストをＧＷ１１０に送信するようにしているが、このような態様に限定されず、ＳＵＢＳＣＲＩＢＥリクエストを受信したＩＰ電話１３０において通信に関連する他の設定情報、例えば、変更する内線番号、発信者番号、転送先番号、鳴動時間、着信拒否番号、着信拒否時間等を特定する情報の入力を受け付けて、ＳＵＢＳＣＲＩＢＥリクエストに含めてＧＷ１１０に送信することも可能である。このようなＳＵＢＳＣＲＩＢＥリクエストを受信したＧＷ１１０では、ＳＩＰ呼制御部１１８が、通信テーブル１１３ａ又は内線テーブル１１４ａにこれらの情報を格納して、ＳＩＰに従った呼制御を行う際に、特定された情報に応じた処理（例えば、特定された発信者番号をＩＮＶＩＴＥリクエストに挿入、ＩＮＶＩＴＥリクエストを転送先番号で特定されるＩＰ電話１３０に送信、ＩＮＶＩＴＥリクエストを受信してから鳴動時間が経過した場合にはエラーレスポンスをリクエストの送信元に返信、ＩＮＶＩＴＥリクエストの送信元の電話番号が着信拒否番号である場合にはエラーレスポンスをリクエストの送信元に返信、着信拒否時間にＩＮＶＩＴＥリクエストを受信した場合にはエラーレスポンスをリクエストの送信元に返信）を行う。
【０１６７】
さらに、以上に記載した実施形態においては、ＳＵＢＳＣＲＩＢＥリクエストメッセージ及びＮＯＴＩＦＹリクエストメッセージを用いているが、このような態様に限定されず、例えば、ＩＮＦＯメッセージ、ＭＥＳＳＡＧＥメッセージ又は予め定められた独自の形式のメッセージを用いることも可能である。
【０１６８】
また、以上に記載した実施形態においては、中継装置をＧＷを用いて説明したが、このような態様に限定されず、配下の通信装置に対して電話番号を設定する装置である交換装置（ボタン電話装置、構内交換機等）にも適用可能である。
【０１６９】
さらに、中継装置は、あるネットワークから受信したデータを別のネットワークに送信したり、元のネットワークに戻したり（送信したり）、する装置であるネットワーク間接続装置（例えば、ブリッジ、スイッチ、ルータ等）にも適用することができる。
【図面の簡単な説明】
【０１７０】
【図１】通信システムの概略図。
【図２】ＧＷの概略図。
【図３】設定テーブルの概略図。
【図４】通信テーブルの概略図。
【図５】内線テーブルの概略図。
【図６】外線テーブルの概略図。
【図７】ＩＰ電話の概略図。
【図８】ＩＰ電話とＧＷとの間の初期設定処理を示すシーケンス図。
【図９】ＧＷのＤＨＣＰ制御部での初期設定処理のフローチャート。
【図１０】ＧＷのＳＩＰ呼制御部での初期設定処理のフローチャート。
【図１１】ＷＡＮ側のＩＰ電話から、ＧＷに収納されているＩＰ電話に接続する処理を示すシーケンス図。
【符号の説明】
【０１７１】
１００  通信システム
１１０  ＧＷ
１１１  記憶部
１１２  設定情報記憶領域
１１３  通信情報記憶領域
１１４  内線情報記憶領域
１１５  外線情報記憶領域
１１６  制御部
１１７  全体制御部
１１８  ＳＩＰ呼制御部
１１９  ＤＨＣＰ制御部
１２０  ＲＴＰ制御部
１２１  アナログ制御部
１２２  ＤＳＰ制御部
１２３  ＷＡＮポート
１２４  ＬＡＮポート
１２５  アナログポート
１３０  ＩＰ電話
１３１  記憶部
１３２  制御部
１３３  全体制御部
１３４  ＳＩＰ呼制御部
１３５  ＤＨＣＰ制御部
１３６  ＲＴＰ制御部
１３７  アナログ制御部
１３８  ＤＳＰ制御部
１３９  操作表示制御部
１４０  受話器
１４１  表示部
１４２  操作部
１４３  ＬＡＮポート
【図１】
0005053118.tif 000002
【図２】
0005053118.tif 000003
【図３】
0005053118.tif 000004
【図４】
0005053118.tif 000005
【図５】
0005053118.tif 000006
【図６】
0005053118.tif 000007
【図７】
0005053118.tif 000008
【図８】
0005053118.tif 000009
【図９】
0005053118.tif 000010
【図１０】
0005053118.tif 000011
【図１１】
0005053118.tif 000012